(57)【要約】      （修正有）【課題】バッグを閉じることができるようにする補強ストリップを有するバッグ用の閉鎖システムを提供する。【解決手段】基部および２つのウイング１２，１３を含み、ウイングは、基部１1からほぼ垂直におよび基部の同じ側に広がり、ウイングは互いに離間し、ウイングのそれぞれは、外面および内面を呈し、内面は互いに向き合い、閉じクリップは、２つの掛止くさび１４，１５を、それぞれ、ウイングの１つの内面にその自由端で、さらに含む。補強ストリップを有するバッグにも関し、それは、上部開口部、上部開口部の外縁に固定された補強ストリップ、および閉じクリップを含む。【選択図】図２
2018086252.tif 000002
【特許請求の範囲】
【請求項１】
補強ストリップを有するバッグであって、上部開口部と、上部開口部の外縁に固定された補強ストリップと、補強ストリップを有するバッグ用の閉じクリップと、を含み、前記閉じクリップは、基部と、２つのウイングと、を含み、前記ウイングは、前記基部からほぼ垂直におよび前記基部の同じ側に広がり、前記ウイングは互いに離間し、前記ウイングのそれぞれは、外面および内面を呈し、前記内面は互いに向き合い、前記閉じクリップは、２つの掛止くさびを、それぞれ、前記ウイングの１つの内面にその自由端で、さらに含む、バッグ。
【請求項２】
請求項１に記載の補強ストリップを有するバッグであって、前記基部と、前記２つのウイングと、前記掛止くさびと、は、全てで単一部品に作られる、バッグ。
【請求項３】
請求項２に記載の補強ストリップを有するバッグであって、前記単一部品は、可撓性のある第１の材料からなる第１の層と、変形可能である比較的固い第２の材料からなる第２の層と、可撓性のある第３の材料からなる第３の層と、を含み、第１の層と、第２の層と、第３の層とは、第２の層が第１の層と第３の層との間に挟まれて、互いに重ねられる、バッグ。
【請求項４】
請求項３に記載の補強ストリップを有するバッグであって、第１の層および第３の層は、０．７ｍｍ〜１．３ｍｍの厚さを独立して呈する、バッグ。
【請求項５】
請求項４に記載の補強ストリップを有するバッグであって、第１の層および第３の層は、革である、バッグ。
【請求項６】
請求項３〜５のいずれか１項に記載の補強ストリップを有するバッグであって、第２の層は、０．８ｍｍ〜１ｍｍの厚さを呈する、バッグ。
【請求項７】
請求項６に記載の補強ストリップを有するバッグであって、第２の材料は、金属からなり、好ましくは折り曲げられるアルミニウムからなる、バッグ。
【請求項８】
請求項３〜７のいずれか１項に記載の補強ストリップを有するバッグであって、前記単一部品は、対称軸、好ましくは２つの対称軸、なお好ましくは楕円形状、を呈し、例えば卵形または細長い形状のような２つの対称軸を有する例えば楕円形である、バッグ。
【請求項９】
請求項３〜７のいずれか１項に記載の補強ストリップを有するバッグであって、第１の層と第３の層とは、互いに縫われ、縫い目が第２の層を閉じ込める、バッグ。
【請求項１０】
請求項１〜９のいずれか１項に記載の補強ストリップを有するバッグであって、前記閉じクリップは、ひもをさらに含む、バッグ。
【請求項１１】
請求項１〜１０のいずれか１項に記載の補強ストリップを有するバッグであって、前記掛止くさびの高さは、前記補強ストリップの厚さにほぼ等しいまたはそれ以下である、バッグ。
【請求項１２】
請求項１〜１１のいずれか１項に記載の補強ストリップを有するバッグであって、前記基部と前記掛止くさびとの間の距離は、前記補強ストリップの幅にほぼ等しいまたはわずかにそれ以上である、バッグ。
【請求項１３】
請求項１〜１２のいずれか１項に記載の補強ストリップを有するバッグであって、前記補強ストリップは、革からなる、バッグ。
【発明の詳細な説明】
【技術分野】
【０００１】
本発明は、バッグ、特にハンドバッグ、の技術分野に関する。具体的には、本発明は、バッグ、特にハンドバッグ、の閉鎖システムの技術分野に関する。
【背景技術】
【０００２】
バッグ、特にハンドバッグ、は、一般的にコンパートメントを呈し、コンパートメントは、上部開口部、および場合によっては、バッグが誤って逆さになるときにバッグの中身が出るのを未然に防ぐこと、またはその中身を悪意のある第三者の関心から守ること、ができる開口部を含む。現在では、バッグ、特にハンドバッグ、の次のような様々な閉鎖システムがある。
−ひもを有するシステム；
−ボタン（ホックまたは磁化した）を有するシステム；
−ジッパーを有するシステム；
−留め環を有するシステム；
−クリップを有するシステム（側面または正面取り外し）；
−ロッキングシステム；および
−ボールを有するシステム．
【０００３】
他より原始的な、ひもを有するシステムは、上部閉鎖縁にひだをつける必要があるという不都合があり、それによって、互いに平行な２つの平らな縁を有する開口部を得ることができない。
【０００４】
ファスナーと一般に称される、ジッパーを有するシステムは、歯および中心スライダーを備えた２つの部分を含む。部分の一方の歯は、他方の部分の歯および中心スライダーに対してシフトし、中心スライダーは、歯をかみ合わせるまたは切り離すことができるように再び結合する２つの溝を呈する。しかしながら、これらの歯は、変形するまたは壊れることがあり、システムを使えなくする。
【０００５】
ボタン、留め環、クリップ、を有するシステム、およびロッキングシステムは、バッグの上部開口部をロックするように協働する相補的な２つの部分を一般に含む。従って、２つの部分の整列が、バッグの閉鎖が望まれるときに必ず必要である。
【０００６】
ボールを有するシステムも、金属製の２つの部分（ボール）を呈し、金属製の２つの部分は、一般に互いに対称であり、ばね要素と連結し、ばね要素は、一般に部分のそれぞれが金属製の部分を有する２つの対称部分との連結部品である。この種類のボールを有するシステムのロックおよびアンロックは、より大きい力を必要とするので、一般に容易ではない。
【発明の概要】
【発明が解決しようとする課題】
【０００７】
従って、この発明の目的は、バッグを閉じることができるようにする補強ストリップを有するバッグ用の閉鎖システムを提示することである。
【課題を解決するための手段】
【０００８】
この目的は、補強ストリップを有するバッグ用の閉じクリップによって達成され、それは、基部と、２つのウイングと、を含み、ウイングは、基部からほぼ垂直におよび基部の同じ側に広がり、ウイングは互いに離間し、ウイングのそれぞれは、外面および内面を呈し、内面は互いに向き合い、閉じクリップは、２つの掛止くさびを、それぞれ、ウイングの１つの内面にその自由端で、さらに含む。
【０００９】
閉じクリップの選択的で非限定的な他の特徴は、以下に示される。
【００１０】
基部、２つのウイング、および掛止くさびは、全てで単一部品を形成してよい。この場合、単一部品は、可撓性のある第１の材料からなる第１の層と、変形可能である比較的固い第２の材料からなる第２の層と、可撓性のある第３の材料からなる第３の層と、を含み、第１の層と、第２の層と、第３の層とは、第２の層が第１の層と第３の層との間に挟まれて、互いに重ねられる。さらに、第１の層および第３の層は、０．７ｍｍ〜１．３ｍｍの厚さを独立して呈する。さらに、第１の層および第３の層は、好ましくは、革である。
【００１１】
第２の層は、０．８ｍｍ〜１ｍｍの厚さを呈してよい。この場合、第２の材料は、好ましくは金属からなり、好ましくは、折り曲げられるアルミニウムからなる。
【００１２】
単一部品は、対称軸、好ましくは２つの対称軸、なお好ましくは楕円形状、を呈し、例えば卵形または細長い形状のような２つの対称軸を有する例えば楕円形である。
【００１３】
第１の層と第３の層とは、互いに縫われてよく、縫い目が第２の層を閉じ込める。
【００１４】
閉じクリップは、さらにひもをさらに含んでよい。
【００１５】
この発明は、閉鎖システムも提示し、それは、上記で説明した閉じクリップ、および補強ストリップ（フランス語ではｒｅｈａｕｓｓｅ）、すなわち、バッグの開口部で、特にこの開口部の外縁に、配置される補強された可撓性材料の部品、を含む。
【００１６】
この発明は、最後に、補強ストリップを有するバッグを提示し、それは、上部開口部、上部開口部の外縁に固定された補強ストリップ、および上記で説明したような閉じクリップを含む。
【００１７】
掛止くさびの高さは、補強ストリップの厚さにほぼ等しいまたはそれ以下である。
【００１８】
基部と掛止くさびとの間の距離は、補強ストリップの幅にほぼ等しいまたはわずかにそれ以上である。
【００１９】
補強ストリップは、好ましくは、革のような可撓性材料である。
【００２０】
他の目的、特徴、および利点は、続いて例として与えられ、以下の例示的および非限定的図面を参照して提示される、説明を読むことによって明らかになる。
【図面の簡単な説明】
【００２１】
【図１】発明に従った閉じクリップの概略正面図である。
【図２】図１の閉じクリップの概略側面図である。
【図３】図１の閉じクリップの概略分解図である。
【図４】ひもが付いた図１の閉じクリップの斜視図である。
【図５】図４の閉じクリップが設けられた補強ストリップを有するバッグの概略図である。
【発明を実施するための形態】
【００２２】
発明に従った補強ストリップを有するバッグ用の閉じクリップを、図１〜４を参照して以下に説明する。
【００２３】
閉じクリップ１は、互いに離間した２つのウイング１２，１３と、２つの掛止くさび１４，１５とを備える。
【００２４】
ウイング１２，１３のそれぞれは、基部１１から基部の同じ側に、および基部にほぼ垂直に広がる；つまり、基部１１は、正中面を呈し、ウイング１２，１３のそれぞれは、正中面と８５〜９５°に等しい角度をなし、好ましくは９０°である。ウイング１２，１３のそれぞれは、外面１２１，１３１および内面１２２，１３２を呈し、内面１２２，１３２は互いに向き合う。
【００２５】
掛止くさび１４，１５のそれぞれは、ウイング１２，１３の１つの内面１２２，１３２にその自由端１２３，１３２で、つまり基部１１から最も遠く離れた部分で、形成される。掛止くさび１４，１５のそれぞれは、基部１１に対して近位側１４１，１５１および遠位側１４２，１５２を含むことができる。有利な仕方で、掛止くさびの近位側１４１，１５１は、対応する内面１２２，１３２と、保持ショルダー１４３，１５３を形成する。この保持ショルダー１４３，１５３は、バッグの補強ストリップに閉じクリップ１を固定することができるようにする。好ましくは、この保持ショルダー１４３，１５３は、０．９ｍｍ〜１．１ｍｍの高さを呈し、好ましくは０．９ｍｍ〜１．１ｍｍである。掛止くさび１４，１５の遠位側１４２，１５２は、有利には、ショルダー１４３，１５３の高さ以下の高さを呈し、従って、バッグの補強ストリップへの閉じクリップ１の位置決めが容易になる。好ましくは、掛止くさび１４，１５の遠位側１４２，１５２の高さは、０ｍｍ〜０．８ｍｍであり、好ましくは０ｍｍである。
【００２６】
基部１１、２つのウイング１２，１３および２つの掛止くさび１４，１５は、好ましくは、以下で単一部品と称される、単一の部品２を形成する。
【００２７】
単一部品２は、様々な形状を呈することができる。単一部品２の好ましい様々な形状は、単一部品２が平らにされる、つまり基部１１とウイング１２，１３との間の結合が事実上１８０°にされる、ことを考慮して後に説明される。単一部品２は、有利には、１つまたはさらに２つの対称軸を呈する幾何形状を呈する；２つの対称部分は、閉じクリップ１の１つのウイング１２，１３をそれぞれ表し、例えば、長方形、正方形、菱形、楕円形である。２つの対称軸の場合、好ましくは、これらは、好ましくは、互いに垂直である。好ましくは、単一部品２の形状は、楕円形である。「楕円形」という用語は、この説明では細長い形状および卵形を含む。
【００２８】
単一部品２は、好ましくは、可撓性のある第１の材料からなる第１の層２１、折り曲げ可能または変形可能である比較的固い第２の材料からなる第２の層２２、および可撓性のある第３の材料からなる第３の層２３を含み、第１、第２、および第３の層２１，２２，２３は、第２の層２２が第１の層２１と第３の層２３との間にぴったり挟まれて、互いに重ねられ、第１の層２１が閉じクリップ１の外面１２１，１３１を形成し、第３の層２３が閉じクリップ１の内面１２２，１３２を形成する。この説明全体として、「比較的固い」という表現は、手で容易に変形することはできないが、道具を用いて変形することができる材料を示す。
【００２９】
第２の層２２は、第３の層２３に向かうその面に、互いに向かい合うように配置された２つのくさび止め部品２４，２５を呈する。この２つのくさび止め部品２４，２５は、第３の層２３によって覆われると、掛止くさび１４，１５を形成する。従って、それらの形状は、上記に説明したような掛止くさび１４，１５の形状に対応する。
【００３０】
有利には、第１および第３の材料は、革である。有利には、第２の材料は、折り曲げ可能または変形可能である金属からなり、好ましくはアルミニウムからなる。
【００３１】
有利には、第１および第３の層２１，２３は、０．７ｍｍ〜１．３ｍｍの厚さを独立して呈する。有利には、第２の層は、０．８ｍｍ〜１ｍｍの厚さを呈する。
【００３２】
第１、第２および第３の層２１，２２，２３は、当業者に知られているいくつもの仕方で組み合わせられることができるが、好ましくは、第１および第３の層２１，２３は、その周囲２５で第２の層２２を閉じ込めるように互いに縫われる。従って、第２の層２２は、第１および第３の層２１，２３より小さい大きさを呈する。その周囲２５への縫い目は、第１および第３の層２１，２３の縁から、１ｍｍ〜３ｍｍで実現され、好ましくは２ｍｍである。第１および第３の層２１，２３の縁は、有利には、例えばワックスまたはゴムを用いて、革製造業分野で一般に実現されるように終えられる。この場合、単一部品２は、好ましくは、平らにされ、それから後で縫い目がその最終形状を達成するように変形され、例えば、互いに平行な２つの線に沿って折り曲げることによって折りたたむことによってであり、単一部品２を３つの部分に分け、その３つの部分は、閉じクリップ１のウイング１２，１３を形成する２つの側方部分、および基部１１を形成する中央部分である。別の例では、最初に平らな単一部品２は、その対称軸またはその対称軸の１つに関して、（後者の場合、好ましくは、その最大寸法に対応するその対称軸に関して）アーチ形である。曲げ半径は、優先的には２〜１０ｍｍであり、好ましくは３〜８ｍｍであり、好ましくは約５ｍｍである。全ての場合に、比較的固い第２の材料からなる第２の層は、閉じクリップ２がその最終的な形状を維持することができるようにする補強層である。
【００３３】
閉じクリップ１は、ひも３をさらに備えてよく、ひも３は、閉じクリップ１を、なくならないように補強ストリップを有するバッグの要素に、例えばバッグの取っ手に、つなぐことができる。このひも３は、好ましくは、基部１１に、場合によっては単一部品２の中央に、接続される。「中央」は、ここでは単一部品２の形状の重心を意味する。
【００３４】
ひも３は、基部１１に連結する第１連結端と、補強ストリップを有するバッグの要素に連結する第２連結端３２とを呈する。従って、第１連結端３１は、基部１１に固定される。第１連結端３１を基部１１に固定するように、単一部品２の場合、第１の層２１、好ましくは第２の層２２も、その中央で、ひも３の周囲に対応する大きさのオリフィス２１１，２２１を呈する。第１連結端３１は、有利には、対応する層の第１の面を通ってオリフィス２１１，２２１の中に挿入され、第１の面と反対の対応する層の第２の面に押しつけられる２つのタブ３１１，３１２をさらに含むことができる。第２連結端３２は、好ましくは、ひも３に沿って形成されるスリット３２１を含み、それを介して、補強ストリップを有するバッグの要素、例えば取っ手がはさみ込まれることができる。
【００３５】
ひも３は、有利には、可撓性材料で作られ、例えば革である。ひも３は、同じくチェーン、特に金属、であってよい。
【００３６】
有利には、ひもは、２３ｃｍ〜２４ｃｍの長さを呈する。
【００３７】
発明に従った補強ストリップを有するバッグを、図５を参照して以下に説明する。この説明の続きでは、補強ストリップを有するバッグは、それが普通に使用される通りに説明される。例えば、「上部」および「下部」という相対的な語は、この通常の使用位置に言及し、「内部」および「外部」という語もそうである。
【００３８】
補強ストリップを有するバッグ１０は、メインコンパートメント２０を含む。メインコンパートメント２０は、２つの補強ストリップ３０によって閉じることができる上部開口部２０１を含み、２つの補強ストリップ３０は、それぞれ、互いに向かい合わせに置かれることができるように、上部開口部２０１の縁部分の外部面に配置される。補強ストリップを有するバッグ１０は、上記に説明したような閉じクリップ１も備える。
【００３９】
有利な仕方で、向かい合う補強ストリップの、および補強ストリップが配置される上部開口部２０１の縁部分の、加えられた厚さは、閉じクリップ１のウイング１２，１３の間の間隔にほぼ等しい。上部開口部２０１の縁部分は、斜めであることができ、特に革のような可撓性材料からなる。
【００４０】
補強ストリップ３０は、好ましくは、可撓性材料からなり、好ましくは、単一部品２の第３の層２３の材料と同じであり、例えば革である。補強ストリップ３０のそれぞれは、好ましくは、補強材料の補強厚さによってそれぞれ補強された、可撓性材料の２つの層で構成される。その下の部分で、補強ストリップは、好ましくは、対応する上部開口部の縁部分にまたがって配置される。
【００４１】
掛止くさび１４，１５の高さは、有利には、補強ストリップ３０の厚さ以下またはそれにほぼ等しい。基部２１と掛止くさび１４，１５（特にショルダー１４１，１５１での）との間の距離は、補強ストリップ３０の幅にほぼ等しいまたはわずかにそれ以上である。
【００４２】
メインコンパートメント２０は、向かい合う２つのメインフェイス２０３，２０４をさらに備えてよい。この２つのメインフェイス２０３，２０４は、側部および／または基部で互いに縫われることができ、その高い所は、開口部の部分を形成し、補強ストリップ３０を受ける。さらに、メインコンパートメント２０は、１つまたは２つの側面ガセット２０６，２０７を含むことができ、特にメインフェイス２０３，２０４の側部で縫われる。さらにまたは代わりに、メインコンパートメント２０は、メインフェイス２０３，２０４の基部に、および場合によっては側面ガセット２０６，２０７の基部に、縫われた基部２０５を含んでよい。メインコンパートメント２０は、メインフェイス２０３，２０４の下部の角に、場合によってはガセット２０６，２０７の下部の角に、場合によっては基部２０５の角に、位置する補強部品２０８も含んでよい。言い換えれば、コンパートメントは一般形状を呈し、この補強部品は、有利には、一般形状の基部の位置でそれぞれの頂点に設けられる。補強ストリップを有するバッグ１０は、１つまたは２つまたはそれ以上の取っ手４０をさらに含んでよい。取っ手４０の端のそれぞれは、互いから独立して、補強ストリップ３０に、補強ストリップ３０で覆われていないメインフェイス２０３，２０４の部分に、バッグを閉じるときに実質的に変形しないガセット２０６，２０７の部分に、つまり、好ましくはガセット２０６，２０７の高い所から離れて、固定されてよい。上記で示したように、閉じクリップのひも３は、好ましくは取っ手４０に沿って動かせる仕方で、好ましくは取っ手４０の１つに固定される。例えば、取っ手４０は、ひも３のスリット３２１を介して通る。従って、ひも３のスリット３２１の長さは、難なく取っ手が通過することができるように十分に長く、閉じクリップがなくならないようにする。別の例では、ひも３のスリット３２１は、閉じクリップの基部およびウイングがスリット３２１を通って通過することができるように、十分に幅が広い。ひも３によってその時形成されるループは、取っ手４０を包囲する。従って、閉じクリップ１は、バッグから取り外しできるが、なくなることがない。さらに、閉じクリップの製造は、補強ストリップを有するバッグの製造から切り離すことができる。スリット３２１は、非常に大きくなくてよく、実際、特に楕円形状の短軸に沿って、スリット３２１の幅が、基部およびウイングの幅をわずかに上回るだけで十分である。実際、基部および２つのウイングがスリットを通るために、まず１つのウイング、それから基部、最後に他のウイングを通せば十分である。
【図１】
2018086252.tif 000003
【図２】
2018086252.tif 000004
【図３】
2018086252.tif 000005
【図４】
2018086252.tif 000006
【図５】
2018086252.tif 000007
【外国語明細書】
2018086252000001.pdf